(57)【要約】【課題】発光体が発する光を用いて効率的な照明を行うと共に、放電の発生を低減する。【解決手段】遊技機は、発光体（７５１）が配置された基板（７５Ｒ）と、前記発光体が発した光によって点灯するレンズ部（７２１）と、前記発光体が発した光を前記レンズ部へ導く第１導光部（７２ｃ，７２ｄ）と、を有する導光レンズ（７２）と、前記導光レンズ（７２）に隣接し、導電性を有する外装部（７１）と、絶縁材料からなり、前記導光レンズと前記基板との間に配置されて前記外装部と前記基板とを絶縁する保護部材（７４Ｒ）と、を備え、前記保護部材は、少なくとも前記第１導光部と前記発光体との間に配置されて前記発光体が発した光を前記第１導光部へ導く第２導光部（７４２）を有する。【選択図】図６
2018161407.tif 000002
【特許請求の範囲】
【請求項１】
発光体が配置された基板と、
前記発光体が発した光によって点灯するレンズ部と、前記発光体が発した光を前記レンズ部へ導く第１導光部と、を有する導光レンズと、
前記導光レンズに隣接し、導電性を有する外装部と、
絶縁材料からなり、前記導光レンズと前記基板との間に配置されて前記外装部と前記基板とを絶縁する保護部材と、を備え、
前記保護部材は、少なくとも前記第１導光部と前記発光体との間に配置されて前記発光体が発した光を前記第１導光部へ導く第２導光部を有する、
ことを特徴とする遊技機。
【請求項２】
前記発光体は、第１発光体及び第２発光体を含み、
前記第１導光部及び前記第２導光部は、前記第１発光体が発した光を前記レンズ部へ導くように配置され、
前記導光レンズは、前記第２発光体が発した光を前記レンズ部へ導く第３導光部を有し、
前記外装部から前記第１発光体までの第１距離が、前記外装部から前記第２発光体までの第２距離に比べて小さい、
ことを特徴とする請求項１に記載の遊技機。
【請求項３】
前記第１導光部が前記第２導光部に対向する第１面と前記基板との間の第１間隔は、前記第３導光部が前記第２発光体に対向する第２面と前記基板との間の第２間隔に比べて大きい、
ことを特徴とする請求項２に記載の遊技機。
【発明の詳細な説明】
【技術分野】
【０００１】
本発明は、遊技機に関する。
【背景技術】
【０００２】
従来、パチンコ機やスロットマシンなど、パチンコ玉やメダルなどの遊技媒体に対して一定の遊技価値を付与し、遊技媒体を獲得するための遊技を遊技者に提供する遊技機が知られている。パチンコ機と称される弾球遊技機にあっては、遊技者がパチンコ玉（遊技球）を遊技盤の遊技領域に発射することで賞球を得るための遊技を行う。スロットマシン等と称される回動式遊技機にあっては、遊技者が外周面に図柄が配列されたリールの回転を停止させ、特定の図柄が揃った場合にメダル等の払出しが行われる。
【０００３】
このような遊技機において、外装部材としてめっき部材等の導電性を有する部材が用いられ、導電性部材の付近に発光ダイオード（ＬＥＤ）等の電子部品が実装された制御基板が配置される場合がある。この場合、導電性部材と制御基板との間で静電気等に起因する放電が発生すると、制御基板に実装された電子部品にダメージを与える可能性がある。そこで、特許文献１には、ＬＥＤ及びコネクタが実装された制御基板と、ＬＥＤからの光を所定方向に導く導光レンズと、上記コネクタに隣接配置された装飾用のめっき部材とを備えるパチンコ機であって、絶縁材料からなる導光レンズの一部をコネクタを覆うカバー形状とすることで、めっき部材からコネクタの端子までの沿面距離を確保する構成が記載されている。
【先行技術文献】
【特許文献】
【０００４】
【特許文献１】特開２０１６−１０７１０９号公報
【発明の概要】
【発明が解決しようとする課題】
【０００５】
ところで、基板に配置された発光体が発する光を用いて効率よく照明を行うためには、照明対象部位まで光を導く導光部を発光体にできるだけ接近させることが好ましい。しかしながら、上記文献に記載の構成では、導光レンズ自体によってカバー形状が形成されており、導光レンズを制御基板に接近させる程、放電が生じ易くなる構成となっていた。
【０００６】
そこで、本発明は、発光体が発する光を用いて効率的な照明を行うと共に、放電の発生を低減可能な遊技機を提供することを目的とする。
【課題を解決するための手段】
【０００７】
本発明の一態様に係る遊技機（１）は、
発光体（７５１）が配置された基板（７５Ｌ，７５Ｒ）と、
前記発光体が発した光によって点灯するレンズ部（７２１）と、前記発光体が発した光を前記レンズ部へ導く第１導光部（７２ｃ，７２ｄ）と、を有する導光レンズ（７２）と、
前記導光レンズ（７２）に隣接し、導電性を有する外装部（７１）と、
絶縁材料からなり、前記導光レンズと前記基板との間に配置されて前記外装部と前記基板とを絶縁する保護部材（７４Ｌ，７４Ｒ）と、を備え、
前記保護部材は、少なくとも前記第１導光部と前記発光体との間に配置されて前記発光体が発した光を前記第１導光部へ導く第２導光部（７４２）を有する。
【発明の効果】
【０００８】
本発明に係る遊技機の構成によれば、導光レンズと基板との間に配置される保護部材によって外装部と保護部材との沿面距離が確保されるため、基板上の電子部品が静電気等に起因する放電から保護される。また、第２導光部が少なくとも導光レンズの第１導光部と発光体との間に配置されることから、発光体が発した光が第１導光部へと効率的に導かれ、保護部材を設けたことによる照明効率の低下を最小限に抑えつつ基板の保護を図ることができる。
【図面の簡単な説明】
【０００９】
【図１】本開示の実施の形態に係るスロットマシンの斜視図。
【図２】スロットマシンの筐体内部の構成を示す正面図。
【図３】上部ユニットの正面図。
【図４】（ａ）は上部ランプユニットの斜視図。（ｂ）は中央ランプの要部を示す斜視図。
【図５】（ａ）、（ｂ）はいずれも中央ランプの分解図。
【図６】（ａ）は中央ランプの断面図。（ｂ）はその模式図。
【発明を実施するための形態】
【００１０】
以下、本発明に係る実施の形態について説明する。なお、以下に説明する実施の形態は、特許請求の範囲に記載された本発明の内容を不当に限定するものではない。また、本実施の形態で説明される構成の全てが、本発明の必須構成要件であるとは限らない。更に、以下の説明において基本的に「前後」とは、遊技機の前側に遊技者が居る場合に、遊技者側が「前」で、遊技機側が「後」を意味し、「上下」とは遊技機の上面側が「上」で、下面側が「下」を意味し、「左右」とは遊技機を遊技する遊技者の左手側が「左」を意味し、右手側が「右」を意味する。
【００１１】
１．遊技機の全体構成
まず、本発明の実施の形態に係る遊技機としてのスロットマシン１の全体構成について図１及び図２に基づいて説明をする。本実施の形態に係るスロットマシン１は、いわゆる回胴式遊技機と呼ばれるもので、メダルを遊技媒体として用いた遊技を行う種類の遊技機である。図１に示すように、スロットマシン１は、６面体構造のうち遊技者に対向する前面が開口した木製の筐体１０を備えていると共に、この開口した筐体１０の前面を開閉可能な前扉５０により被覆して構成されている。また、筐体１０の内部には、図２に示すように、複数の回転リールとしての第１リールＲ１〜第３リールＲ３を備えたリールユニット３０が収められていると共に、このリールユニット３０の下部には、メダルの払出装置としてのホッパーユニット２０が収められている。
【００１２】
第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータ〜第３ステッピングモータに軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。
【００１３】
また、上記リールユニット３０の上方には、前扉５０の裏側に配設された副制御基板ユニット（不図示）と共に遊技機の制御基板を構成する主制御基板ユニット４１が設けられている。主制御基板ユニット４１は、ＣＰＵ、ＲＯＭ（情報記憶媒体の一例）、ＲＡＭ等を搭載し、遊技を実行するための各種の演算を行って上記リールユニット３０や、ホッパーユニット２０等の動作を制御する。更に、筐体１０の高さ方向と直交する幅方向において、上記主制御基板ユニット４１の隣には、主制御基板ユニット４１から出力された信号を中継する中継基板ユニット４２が配設されており、この中継基板ユニット４２を介して主制御基板ユニット４１は、リールユニット３０やホッパーユニット２０等の他ユニットと接続されている。
【００１４】
前扉５０は、扉の上部、中央上部、下部にそれぞれ、演出用の絵柄や配当表などを表示する上パネル５７、中央パネル５２、下パネル５５が設けられており、中央パネル５２には、第１リールＲ１〜第３リールＲ３の回転状態及び停止状態を観察可能にする表示窓５１が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓５１を通じて観察できるようになっている。
【００１５】
また、本実施形態のスロットマシン１では、各リールの上段・中段・下段の表示位置の組合せ（例えば中段一列）によって有効ラインＬｆが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインＬｆが有効化される。
【００１６】
更に、中央パネル５２には、第１リールＲ１〜第３リールＲ３の停止順序（以下、打順ともいう）を報知する第１ナビランプＮＬ１〜第３ナビランプＮＬ３が表示窓５１の上方に設けられており、第１リールＲ１〜第３リールＲ３にそれぞれ対応する第１ナビランプＮＬ１〜第３ナビランプＮＬ３が点灯することによって、遊技者に打順を報知するようになっている。また、中央パネル５２の表示窓５１の下方には、発光ダイオード（以下、ＬＥＤという）、ランプ、７セグメント表示器等からなる遊技情報表示部ＤＳが設けられており、遊技情報表示部ＤＳにはメダルのクレジット数、１回の遊技におけるメダルの払出数あるいは獲得数、今回の遊技で当選した役の情報に係る報知表示、有利期間等の各種遊技情報が表示されるようなっている。
【００１７】
また、前扉５０は、下パネル５５が設けられる扉下部分５３が中央パネル５２のパネル面よりも前方に突出して設けられており、下パネル５５の上方には各種の操作手段が設けられている。操作手段としては、クレジット（貯留）されたメダルを投入する操作を行うための投入操作手段として、１枚のメダルを投入するシングルベットボタンＢＴ及び規定投入数のメダルを投入するマックスベットを実行するマックスベットボタンＭＢ、第１リールＲ１〜第３リールＲ３を回転させて遊技を開始する契機となる開始操作を遊技者に実行させるための遊技開始操作手段としてのスタートレバーＳＬ、第１ステッピングモータ〜第３ステッピングモータにより回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタンＢＳが設けられている。
【００１８】
更に、扉下部分５３には、遊技者がメダルを投入するメダル投入口５６が設けられており、このメダル投入口５６から投入されたメダルは、扉下部分５３の裏側に設けられたセレクタ（不図示）によってカウントされてホッパーユニット２０へと案内されるようになっている。本実施の形態のスロットマシン１では、遊技者がメダルをメダル投入口５６に投入するか、メダルが規定投入数以上にクレジットされている場合に、シングルベットボタンＢＴを規定投入数と同じ回数押下する操作又はマックスベットボタンＭＢを押下する操作を行うことで、第１リールＲ１〜第３リールＲ３の回転制御を開始することが可能な準備状態にセットされる。そして、遊技者がスタートレバーＳＬを押下、つまり遊技者がスタートレバーＳＬに対して開始操作を実行すると、主制御基板ユニット４１において乱数値を用いた内部抽選が行われた後に第１リールＲ１〜第３リールＲ３をステッピングモータの駆動により回転開始させ、第１リールＲ１〜第３リールＲ３の回転速度が所定の速度まで上昇し定常回転になったことを条件に、ストップボタンＢ１〜ストップボタンＢ３の押下操作が許可、即ちストップボタンＢ１〜ストップボタンＢ３による停止操作が有効化される。
【００１９】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３のそれぞれに対応するストップスイッチがオフ動作を行い、主制御基板ユニット４１へ出力するリール停止信号をオン状態からオフ状態に変化させる。
【００２０】
そして、主制御基板ユニット４１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２１】
また、主制御基板ユニット４１は、第１リールＲ１〜第３リールＲ３を停止させた後に、有効ラインＬｆ上に停止している図柄の組合せに応じて、各種処理を実行する。主制御基板ユニット４１が実行する各種処理としては、例えば、有効ラインＬｆ上に停止している図柄の組合せが複数種類の役のうちメダルの払い出しを伴う小役の図柄組合せである場合、即ち小役が入賞した場合に、入賞した小役に設定されている配当に基づきホッパーユニット２０からメダルを払い出す払出処理や、有効ラインＬｆ上に停止している図柄の組合せが遊技者にメダルを消費させることなく１回遊技を実行可能にするリプレイの図柄組合せである場合に、今回の遊技における規定投入数のメダルを投入状態に設定するリプレイ処理等がある。
【００２２】
また、扉下部分５３の下部には、メダル払出口５９とメダル受け皿６０とが設けられており、遊技の結果に応じた枚数のメダルがメダル払出口５９からメダル受け皿６０へ払い出されるようになっている。また、例えば、遊技機内にクレジットされたメダルが記憶されている状態で、精算ボタンＢＳが押下された場合、精算ボタンＢＳの押下に伴ってホッパーユニットからクレジット数（クレジットされたメダルの枚数）に相当する枚数のメダルを払い出す精算処理を実行し、メダル払出口５９からメダル受け皿６０へメダルを払い出す。
【００２３】
更に、前扉５０には、遊技を盛り上げるために音響装置（６１Ｌ，６１Ｒ，６２Ｌ，６２Ｒ）や、ランプ装置（６５，６７Ｌ，６７Ｒ，８３）などの複数の演出装置が設けられている。具体的には、前扉５０の上部及び下部の左右端部には、それぞれ上部スピーカー６１Ｌ，６１Ｒ及び下部スピーカー６２Ｌ，６２Ｒが設けられており、遊技を補助したり、遊技を盛り上げたりするための各種の音声が出力される。
【００２４】
前扉５０の上部には、演出用役物としての回転灯６５を含む上部ランプユニット５８と、左右の上部スピーカー６１Ｌ，６１Ｒとを備える上部ユニット５４が設けられている。上部ランプユニット５８は、左右方向において上部スピーカー６１Ｌ，６１Ｒの間に位置する中央ランプ７０と、中央ランプ７０の下方に位置する回転灯６５と、中央ランプ７０の上方に位置し機体前面の上端部を縁取るトップランプ８３とによって構成される。前扉５０の側端部には、左右のサイドランプ６７Ｌ，６７Ｒが設けられており、これら左右のサイドランプ６７Ｌ，６７Ｒは、扉下部分５３の側方から上部スピーカー６１Ｌ，６１Ｒの側方まで、前扉５０の上下方向略全長に亘って延設されている。上部ランプユニット５８及びサイドランプ６７Ｌ，６７Ｒ等のランプ装置は、遊技に合わせて点灯して演出用の照明装置として機能したり、遊技に係る情報を遊技者に報知する報知装置として機能する。
【００２５】
２．ランプアッセンブリ
次に、上部ランプユニット５８の構成について、図３及び図４（ａ）を用いて説明する。図３は上部ユニット５４を示す正面図である。図４（ａ）は上部ランプユニット５８の斜視図である。
【００２６】
図３及び図４（ａ）に示すように、回転灯６５は、ランプ本体６５ａと、ランプ本体６５ａを駆動するギヤユニット６５ｂとを備えた回転灯装置である。ランプ本体６５ａは、半球状のカバーと、カバー内部に配置されたＬＥＤ等の光源及び回転可能な反射板とを有し、光源が発する光を反射板が回転しながら反射することで、カバーの周囲に光を照射する。
【００２７】
トップランプ８３は、光源となるＬＥＤが配置されたＬＥＤ基板８４と、ＬＥＤ基板８４の前方に配置されたアウターレンズ８６と、ＬＥＤ基板８４及びアウターレンズ８６の間に介在するインナーレンズ８５とを備える。ＬＥＤ基板８４が発した光は、インナーレンズ８５によって拡散された状態でアウターレンズ８６に照射され、アウターレンズ８６を点灯させる。
【００２８】
３．中央ランプ
中央ランプ７０の構成について、図４及び図５を用いて詳しく説明する。図４（ｂ）は中央ランプ７０の要部を示す斜視図である。図５（ａ）、（ｂ）は、中央ランプ７０の取付構造を示す分解図である。
【００２９】
図４（ａ）、（ｂ）に示すように、中央ランプ７０は、上方から視た場合にいずれも前方に張り出すように湾曲した形状の装飾板７１及び発光レンズ７２を備えている。即ち、装飾板７１及び発光レンズ７２は、回転灯６５のギヤユニット６５ｂを迂回するように湾曲した状態で左右方向に延びている。外装部の一例である装飾板７１は、樹脂成型品であり、少なくとも前面側に蒸着等の表面処理によって形成された金属薄膜を有している。また、装飾板７１は、左右方向に延びる複数の横板部７１１を有し、横板部７１１の隙間から発光レンズ７２が露出している。
【００３０】
発光レンズ７２は、上記横板部７１１の隙間から光を放射するレンズ部７２１と、左右方向におけるレンズ部７２１の両端部に配置され、光源である後述のＬＥＤが発する光をレンズ部７２１に導く導光部７２２，７２２と、を備えている。発光レンズ７２は、ポリカーボネート等の透過性材料によって構成される。各導光部７２２は、それぞれ前後方向に延びる棒状の導光棒７２ａ，７２ｂ，７２ｃ，７２ｄによって構成され、これら導光棒７２ａ〜７２ｄが上下方向に並んで配置されている。各導光棒７２ａ〜７２ｄの前端部には、光源からの光をレンズ部７２１に向かって反射可能となるように、即ち前方に向かって左右方向の中央側に向かって傾斜した傾斜面が設けられている。
【００３１】
従って、導光レンズの一例である発光レンズ７２は、ギヤユニット６５ｂに対して左右両側に配置された光源からの光を、導光部７２２，７２２を介してレンズ部７２１に光を導くことで、正面から視てギヤユニット６５ｂと重なる位置にあるレンズ部７２１が点灯するように構成されている。なお、装飾板７１には、左右方向における両端部に、前方から視て上記導光棒７２ａ〜７２ｄ及び後述のＬＥＤ７５１，７５２と重なるように配置された縦枠部７１２が設けられている。縦枠部７１２は、装飾機能の他に、導光棒７２ａ〜７２ｄの前面を覆うことで、光源から前方に向かって照射される光によって中央ランプ７０の一部が局所的に強く光った状態（所謂点光り状態）を防ぐ機能を有する。
【００３２】
図５（ａ）、（ｂ）に示すように、中央ランプ７０は、装飾板７１及び発光レンズ７２の他に遮光板７３、ベース部材７８、カバー部材７４Ｌ，７４Ｒ、及びＬＥＤ基板７５Ｌ，７５Ｒを備えている。ベース部材７８は、図４に示すベース部材７９と同様に前扉の枠体に対して固定され、中央ランプ７０の他の構成要素を支持している。
【００３３】
遮光板７３は、発光レンズ７２のレンズ部７２１に沿って湾曲した裏当て面７３１を有し、後方側からレンズ部７２１に対向した状態で発光レンズ７２と共に装飾板７１に固定される。レンズ部７２１の後面には、市松状又はＶ字溝状等の凹凸形状７２３が形成され、導光部７２２によってレンズ部７２１に導かれた光を凹凸形状７２３によって前方へ向けて反射することで発光演出の効果を高めている。
【００３４】
ＬＥＤ基板７５Ｌ，７５Ｒは、発光レンズ７２の導光部７２２，７２２に対応して左右の両側に配置され、絶縁材料からなるカバー部材７４Ｌ，７４Ｒに取付けられている。各カバー部材７４Ｌ，７４Ｒは、後方に向かって開口する凹部７４０（図５（ｂ）参照）が形成された直方体形状である。ＬＥＤ基板７５Ｌ，７５Ｒは、凹部７４０に収められた状態でカバー部材７４Ｌ，７４Ｒに固定され、カバー部材７４Ｌ，７４Ｒはベース部材７８に固定される。
【００３５】
各ＬＥＤ基板７５Ｌ，７５Ｒは、プリント配線が形成されたプリント基板７５０と、プリント基板７５０の前面に配置されたＬＥＤ７５１，７５２と、プリント基板７５０の裏面に配置されたコネクタ７５３とを備える。発光体の一例であるＬＥＤ７５１，７５２は、導光部７２２の導光棒７２ａ〜７２ｄに対応して上下方向の複数箇所に、即ち図示した例では４箇所に配置されている。ＬＥＤ基板７５Ｌ，７５Ｒは、コネクタ７５３に接続されるケーブルを介して副制御基板ユニットに接続される。各ＬＥＤ７５１，７５２は、副制御基板ユニットから発せられる制御信号に基づいて発光状態を制御される。これにより、発光レンズ７２のレンズ部７２１が、遊技の進行に応じて適宜点灯・消灯する。
【００３６】
４．上ランプユニットの絶縁構成
ここで、カバー部材７４Ｌ，７４Ｒの詳細な構成及びその作用について説明する。上記装飾板７１はスロットマシンの外部に露出する外装部の一例であり、遊技者と接触した際の静電気の放電等の理由で外部から電荷を供給され、ＬＥＤ基板７５Ｌ，７５Ｒに対して電位が変動する可能性がある。このような電荷は、導体である装飾板７１の蒸着層を介して移動可能であり、上記発光レンズ７２のように外装部に隣接する導光レンズを備えた構成では、導光レンズの表面を経由する放電によってＬＥＤ基板７５Ｌ，７５Ｒに実装された電子部品にダメージを与える可能性がある。ただし、外装部に隣接する導光レンズとは、沿面放電現象の経路となり得る程度の小さな間隙（例えば１ｍｍ）が外装部と導光レンズの間にある場合を含むものとする。
【００３７】
ＬＥＤ基板７５Ｌ，７５Ｒを保護する保護部材の一例であるカバー部材７４Ｌ，７４Ｒは、図４及び図５に示すように、後方側から凹部７４０にＬＥＤ基板７５Ｌ，７５Ｒを収容した状態で装飾板７１の後方に固定されており、ＬＥＤ基板７５Ｌ，７５Ｒと装飾板７１との間に位置する。カバー部材７４Ｌ，７４Ｒは、発光レンズ７２とＬＥＤ基板７５Ｌ，７５Ｒとの間に配置されることで、装飾板７１及びＬＥＤ基板７５Ｌ，７５Ｒの間の沿面距離並びに空間距離を増大させ、装飾板７１とＬＥＤ基板７５Ｌ，７５Ｒとを電気的に絶縁してＬＥＤ基板７５Ｌ，７５Ｒを保護する。
【００３８】
図４（ｂ）に示すように、各カバー部材７４Ｌ，７４Ｒには、導光棒７２ａ〜７２ｄ及びＬＥＤ７５１，７５２に対応する位置に、ＬＥＤ７５１，７５２が発した光を導光棒７２ａ〜７２ｄに導くための構造を備えている。即ち、上部の導光棒７２ａ，７２ｂに対応する位置には、導光棒７２ａ，７２ｂの先端部が挿通される開口部７４１，７４１が形成されている。また、下部の導光棒７２ｃ，７２ｄに対応する位置には、導光棒７２ａ，７２ｂの先端部に対向する導光体７４２，７４２が設けられている。導光体７４２は、ポリカーボネート等の透過性を有する材料からなり、発光レンズ７２と同じ材料又はこれに近い屈折率を有する材料を用いると好適である。
【００３９】
下部の導光棒７２ｃ，７２ｄは、発光体（第１発光体）としてのＬＥＤ７５１からの光を導光レンズのレンズ部に導く第１導光部に相当し、カバー部材７４Ｌ，７４Ｒの導光体７４２は、発光体からの光を第１導光部に導く第２導光部に相当する。また、上部の導光棒７２ａ，７２ｂは、第１発光体とは別に第２発光体としてのＬＥＤ７５２が配置される構成において、第２発光体からの光をレンズ部に導く第３導光部に相当する。
【００４０】
図６（ａ）、（ｂ）を用いて各部材の位置関係について説明する。図６（ａ）は、図３に示す切断位置ＶＩ−ＶＩにおける中央ランプ７０の断面図であり、図６（ｂ）はその模式図である。以下、スロットマシン１の左右方向中央位置に対して右側の構成を説明するが、左側も実質的に同じ構成を備えている。
【００４１】
上述した通り、ＬＥＤ基板７５Ｒはカバー部材７４Ｒの凹部７４０に収められているため、図示した断面位置において、カバー部材７４ＲはＬＥＤ基板７５Ｒを前方、上方、及び下方を覆っている。上部の導光棒７２ａ，７２ｂは、レンズ部７２１から後方に向かって延び、カバー部材７４Ｒの前面７４３の開口部７４１を通してカバー部材７４Ｒの内部に突出している。導光棒７２ａ，７２ｂの先端面ａ１，ｂ１（第２面）は上部のＬＥＤ７５２，７５２に対向しており、ＬＥＤ７５２から照射される光の入射面となる。
【００４２】
一方、下部の導光棒７２ｃ，７２ｄは、レンズ部７２１から後方に向かって延び、先端面ｃ１，ｄ１（第１面）においてカバー部材７４Ｒの前面７４３に配置された導光体７４２，７４２に対向している。導光棒７２ｃ，７２ｄの先端面ｃ１，ｄ１は、導光体７４２に対して当接又は近接する位置に配置され、導光体７４２を通過する光が導光棒７２ａ，７２ｂに入射する入射面となる。各導光体７４２の後面ｃ２，ｄ２は、カバー部材７４Ｒの内部において下部のＬＥＤ７５１に対向しており、ＬＥＤ７５１から照射される光の入射面となる。ＬＥＤ７５１が発した光は、まず導光体７４２に入射し、次に下部の導光棒７２ｃ，７２ｄに入射してレンズ部７２１へと導かれる。
【００４３】
導光体７４２は、導光棒７２ｃ，７２ｄとＬＥＤ７５１との間に配置されている。このため、下部の導光棒７２ｃ，７２ｄを通る場合の装飾板７１及びＬＥＤ基板７５Ｒの沿面距離は、カバー部材７４Ｒの前面７４３又は側面を迂回して凹部７４０の内部に至る経路の長さとなる。即ち、少なくとも導光体７４２が配置されるカバー部材７４Ｒの下部の構成については、装飾板７１及びＬＥＤ基板７５Ｒの沿面距離が、カバー部材７４Ｒが設けられていない場合又は導光棒７２ｃ，７２ｄがカバー部材７４Ｒの開口部等を介してＬＥＤ７５１に直接対向している場合に比べて大きくなり、必要な沿面距離を容易に確保することができる。
【００４４】
そして、この導光体７４２が透過性材料によって構成されていることから、ＬＥＤ７５１が発した光を導光棒７２ｃ，７２ｄへと効率的に導くことができる。即ち、導光棒７２ｃ，７２ｄとの間に導光機能を持たない単なるカバー部材が配置される場合や、導光棒７２ｃ，７２ｄとＬＥＤ基板７５Ｒとを単に離間させることで絶縁を図る場合に比べて、ＬＥＤ７５１からレンズ部７２１に到達する光線の割合を増加させることで、レンズ部７２１の照明効率を高めることができる。従って、本実施形態の構成によれば、装飾板７１及びＬＥＤ基板７５Ｒの沿面距離を確保すると共に、ＬＥＤ７５１が発した光が導光体７４２及び導光棒７２ｃ，７２ｄを介して効率的にレンズ部７２１に到達する構成が実現される。言い換えると、ＬＥＤ基板７５Ｒと発光レンズ７２との間にカバー部材７４Ｒを設けたことによる照明効率の低下を最小限に抑えつつ、ＬＥＤ基板７５Ｒを静電気等による放電から保護することができる。
【００４５】
ここで、装飾板７１及び発光レンズ７２のレンズ部７２１は、上部が前方側に張り出すように湾曲した形状を有し、図６に図示した断面位置において上方に向かって前方に傾斜している。一方、ＬＥＤ基板７５Ｒは、略上下方向に沿った姿勢で配置されている。従って、ＬＥＤから前方に照射された光がレンズ部７２１に到達するまでの光路長は、下方に位置するＬＥＤ７５１については短く、上方に位置するＬＥＤ７５２については長くなる。また、前後方向における装飾板７１及びＬＥＤ基板７５Ｒの間隔は、上方へ向かうほど広くなっている。
【００４６】
これに対応して、導光棒７２ａ〜７２ｄの長さは、上方に位置するもの程長くなるように構成される。例えば、下から２段目の導光棒７２ｃの前後方向における長さは、最下段の導光棒７２ｄに比べて長く、上から２段目の導光棒７２ｂに比べて短い。このため、装飾板７１から下部の導光棒７２ｃ，７２ｄの先端面ｃ１，ｄ１（第１面）までの沿面距離Ｄｃ，Ｄｄ（第１沿面距離）は、装飾板７１から上部の導光棒７２ａ，７２ｂの先端面ａ１，ｂ１（第２面）までの沿面距離Ｄａ，Ｄｂ（第２沿面距離）に比べて小さい。
【００４７】
なお、図６（ｂ）では沿面距離を前後方向に沿った経路で示しているが、実際には、発光レンズ７２の立体形状並びにＬＥＤ基板７５Ｒ及び装飾板７１の位置関係等を考慮して沿面距離が測定される。例えば、装飾板７１とベース部材７９との境界部ｐ１（図６（ａ）参照）とＬＥＤ基板７５Ｒとを結ぶ最短経路の距離が装飾板７１及びＬＥＤ基板７５Ｒの沿面距離となる場合がある。いずれにせよ、本実施形態では、装飾板７１からＬＥＤ基板７５Ｒの下部のＬＥＤ７５１までの距離Ｌ１（第１距離）が、装飾板７１から上部のＬＥＤ７５２までの距離Ｌ２（第２距離）より小さい構成となっている。
【００４８】
このような構成において、第２導光部としての導光体７４２は、少なくとも下部の導光棒７２ｃ，７２ｃとこれに対応するＬＥＤ７５１との間に配置されている。このため、他の導光棒７２ａ，７２ｂに比べて先端面ｃ１，ｄ１までの沿面距離を確保しにくい導光棒７２ｃ，７２ｃを含む構成において、カバー部材７４Ｒによって十分な沿面距離を確保してＬＥＤ基板７５Ｒを保護することが可能となる。また、一部のＬＥＤ７５１が他のＬＥＤ７５２に比べて装飾板７１に接近（Ｌ１＜Ｌ２）している構成において、当該ＬＥＤ７５１と装飾板７１との間に導光体７４２を含むカバー構造を設けたため、ＬＥＤ基板７５Ｒを効果的に保護することができる。
【００４９】
また、本実施形態では、カバー部材７４Ｒの上部には開口部７４１が形成されており、上部の導光棒７２ａ，７２ｂは、開口部７４１に挿通された状態でＬＥＤ７５２に対向している。従って、下部の導光棒７２ｃ，７２ｄの先端面ｃ１，ｄ１（第１面）とＬＥＤ基板７５Ｒとの間の距離Ｄ１（第１間隔）は、上部の導光棒７２ａ，７２ｂの先端面ａ１，ｂ１（第２面）とＬＥＤ基板７５Ｒとの間の距離Ｄ２（第２間隔）よりも大きい。一方、上部の導光棒７２ａ，７２ｂの先端面ａ１，ｂ１の位置と、導光体７４２の後面ｃ２，ｄ２の位置は、概ね揃うように配置すると好適である。
【００５０】
即ち、各ＬＥＤ７５１，７５２からの光が導光部に入射する入射面（ａ１，ｂ１，ｃ２，ｄ２）を可能な限りＬＥＤ７５１，７５２に接近させることで、照明効率の向上が図られている。そして、このような構成において、導光体７４２が下部の導光棒７２ｃ，７２ｄとこれに対応するＬＥＤ７５１との間に配置されていることから、照明効率の向上とＬＥＤ基板７５Ｒの保護の両立を図ることができる。
【００５１】
５．本実施形態の効果
本実施形態に係る遊技機（１）は、
発光体（７５１）が配置された基板（７５Ｌ，７５Ｒ）と、
前記発光体が発した光によって点灯するレンズ部（７２１）と、前記発光体が発した光を前記レンズ部へ導く第１導光部（７２ｃ，７２ｄ）と、を有する導光レンズ（７２）と、
前記導光レンズ（７２）に隣接し、導電性を有する外装部（７１）と、
絶縁材料からなり、前記導光レンズと前記基板との間に配置されて前記外装部と前記基板とを絶縁する保護部材（７４Ｌ，７４Ｒ）と、を備え、
前記保護部材は、少なくとも前記第１導光部と前記発光体との間に配置されて前記発光体が発した光を前記第１導光部へ導く第２導光部（７４２）を有する。
【００５２】
この構成により、導光レンズと基板との間に配置される保護部材によって外装部と保護部材との沿面距離が確保され、基板上の電子部品が静電気等に起因する放電から保護される。また、第２導光部が少なくとも導光レンズの第１導光部と発光体との間に配置されることから、発光体が発した光が第１導光部へと効率的に導かれ、保護部材を設けたことによる照明効率の低下を最小限に抑えつつ、基板の保護を図ることができる。
【００５３】
なお、本実施形態では第２導光部としての導光体７４２が下部の導光棒７２ｃ，７２ｄ及びＬＥＤ７５１の間に配置され、上部の導光棒７２ａ，７２ｂはＬＥＤ７５２に直接的に対向するものとして説明したが、上部の導光棒７２ａ，７２ｂ及びＬＥＤ７５２の間に導光体７４２と同様の導光体を配置してもよい。また、第２導光部は保護部材の他の部分と一体成型されていてもよく、例えば、非導電性かつ透明な合成樹脂によってカバー部材７４Ｌ，７４Ｒを一体成型してもよい。一方、これに代えて、第２導光部として独立に成形された透明部材をカバー部材の開口部に隙間なく嵌め込むことで装着する構成でもよい。また、第１及び第２導光部の形状は上述したものに限らず、例えば板状であってもよい。更に、第１導光部及び第２導光部は、発光体が発する光の波長に関して導光性を有する材料であればよく、外部から視て透明である必要はない。
【００５４】
また、上記装飾板７１は少なくとも一部が導電性を有する外装部の一例であり、蒸着以外の表面処理（例えば電気めっきや表面塗装）によって導電層が形成される場合や、外装部自体が金属板等の導電性材料によって構成される場合にも適用可能である。また、外装部とは装飾を目的とするものに限らず、機体の外部に露出した部材を表している。また、発光体はＬＥＤに限らず、任意の発光体に置き換えてもよい。更に、本実施形態では遊技機の一例であるスロットマシン１を例にして説明したが、本発明は弾球遊技機等の各種の遊技機に適用可能であり、例えば、めっきされた外装部材を有するパチンコ機の遊技盤の照明構成に適用してもよい。
【００５５】
また、本実施形態に係る遊技機（１）は、
前記発光体は、第１発光体（７５１）及び第２発光体（７５２）を含み、
前記第１導光部（７２ｃ，７２ｄ）及び前記第２導光部（７４２）は、前記第１発光体が発した光を前記レンズ部へ導くように配置され、
前記導光レンズは、前記第２発光体が発した光を前記レンズ部へ導く第３導光部（７２ａ，７２ｂ）を有し、
前記外装部から前記第１発光体までの第１距離（Ｌ１）が、前記外装部から前記第２発光体までの第２距離（Ｌ２）に比べて小さい。
【００５６】
この構成により、一部の発光体が他の発光体に比べて外装部に接近している構成において、当該発光体と外装部との間に第２導光部を含む保護部材を設けたため、発光体が配置された基板を効果的に保護することができる。
【００５７】
また、本実施形態に係る遊技機（１）は、
前記第１導光部が前記第２導光部に対向する第１面（ｃ１，ｄ１）と前記基板との間の第１間隔（Ｄ１）は、前記第３導光部が前記第２発光部に対向する第２面（ａ１，ｂ２）と前記基板との間の第２間隔（Ｄ２）に比べて大きい。
【００５８】
この構成により、第２発光体からの光が導光部に入射する入射面（第２面）を可能な限り第２発光体に接近させることで照明効率の向上を図ると共に、第１導光部の第１面と第１発光体との間に配置される第２導光部によって基板を保護することができる。
【００５９】
なお、本実施形態では、第１導光部と第３導光部の間で沿面距離に差が生じる場合の例として、棒状の導光棒７２ａ〜７２ｄの長さが異なる場合について説明した。この場合、第３導光部に比べて光源からの光の入射面（第１面）までの沿面距離を確保しにくい第１導光部を含む構成において、保護部材によって十分な沿面距離を確保して基板を保護することが可能となる。ただし、上記構成は、導光部の立体形状又は外装部との位置関係等の他の要因で沿面距離に差が生じる場合に対しても適用可能である。
【符号の説明】
【００６０】
１…遊技機（スロットマシン）／７１…外装部（装飾板）／７２…導光レンズ（発光レンズ）／７２１…レンズ部／７２ａ，７２ｂ…第３導光部（導光棒）／７２ｃ，７２ｄ…第１導光部（導光棒）／７４２…第２導光部（導光体）／７４Ｌ，７４Ｒ…保護部材（カバー部材）／７５１…発光体、第１発光体（ＬＥＤ）／７５２…発光体、第２発光体（ＬＥＤ）／７５Ｌ，７５Ｒ…基板（ＬＥＤ基板）／ａ１，ｂ１…第２面（導光棒の先端面）／ｃ１，ｄ１…第１面（導光棒の先端面）／Ｄ１…第１間隔／Ｄ２…第２間隔／Ｌ１…第１距離／Ｌ２…第２距離
【図１】
2018161407.tif 000003
【図２】
2018161407.tif 000004
【図３】
2018161407.tif 000005
【図４】
2018161407.tif 000006
【図５】
2018161407.tif 000007
【図６】
2018161407.tif 000008